【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
端子接触部（２８Ａ，２８Ｂ，２８Ｃ，２８Ｄ）が基端部（２０４）の外面（２０１，２０２）に複数設けられ、ガス検出を行うためのセンサ素子（２）と、
屈曲する線材によって構成された複数のバネ端子（３）と、
前記センサ素子の前記基端部が挿入された挿入穴（４１）、及び前記挿入穴に連通された複数の保持溝（４２）を有するインシュレータ（４）と、を備えるガスセンサ（１）において、
前記バネ端子は、前記保持溝内に保持される保持部（３１）と、前記保持部から延設され、前記保持部に対して撓んで前記端子接触部に接触するアーム部（３２）とを有しており、
前記挿入穴への前記センサ素子の挿入方向（Ｄ）から見たときに、複数の前記バネ端子のうちの少なくとも１つである傾斜バネ端子（３Ａ）における、前記保持部に対する前記アーム部の撓み方向（Ｆ）は、前記端子接触部の外面に対して傾斜しており、
前記端子接触部は、前記挿入方向に直交する幅方向（Ｗ）に複数並んで設けられており、
前記傾斜バネ端子は、前記幅方向に並んで配置されており、
前記傾斜バネ端子の前記アーム部は、前記保持部よりも前記センサ素子の幅方向の中心側に位置しており、
前記傾斜バネ端子の前記アーム部は、前記端子接触部の外面に垂直な垂線（Ｍ）に対する、前記撓み方向に沿った中心軸線（Ｏ）の傾斜角度（θ）を大きくする状態で撓み、かつ、前記保持溝の前記幅方向における中心側の側面（４２１）に接触して、前記端子接触部の外面に対する位置が固定されている、ガスセンサ。
【請求項２】
端子接触部（２８Ａ，２８Ｂ，２８Ｃ，２８Ｄ）が基端部（２０４）の外面（２０１，２０２）に複数設けられ、ガス検出を行うためのセンサ素子（２）と、
屈曲する線材によって構成された複数のバネ端子（３）と、
前記センサ素子の前記基端部が挿入された挿入穴（４１）、及び前記挿入穴に連通された複数の保持溝（４２）を有するインシュレータ（４）と、を備えるガスセンサ（１）において、
前記バネ端子は、前記保持溝内に保持される保持部（３１）と、前記保持部から延設され、前記保持部に対して撓んで前記端子接触部に接触するアーム部（３２）とを有しており、
前記挿入穴への前記センサ素子の挿入方向（Ｄ）から見たときに、複数の前記バネ端子のうちの少なくとも１つである傾斜バネ端子（３Ａ）における、前記保持部に対する前記アーム部の撓み方向（Ｆ）は、前記端子接触部の外面に対して傾斜しており、
複数の前記バネ端子は、円形状の断面を有する、線径がφ０．４〜０．７ｍｍの範囲内にある丸線材によって構成されている、ガスセンサ。
【請求項３】
前記端子接触部は、前記センサ素子の、前記挿入方向と前記挿入方向に直交する幅方向との双方に直交する厚み方向（Ｔ）の両側に設けられており、
前記傾斜バネ端子は、前記センサ素子を介して互いに向き合う位置に配置されている、請求項１又は２に記載のガスセンサ。
【請求項４】
前記傾斜バネ端子は、前記センサ素子の、前記挿入方向と前記挿入方向に直交する幅方向との双方に直交する厚み方向の両側において、前記幅方向に並んで一対に配置されており、
複数の前記バネ端子のうちの前記傾斜バネ端子以外のバネ端子である垂直バネ端子（３Ｂ）は、前記幅方向に並ぶ一対の前記傾斜バネ端子の間において、前記アーム部の前記撓み方向が前記端子接触部の外面に対して垂直になる状態で配置されている、請求項１〜３のいずれか１項に記載のガスセンサ。
【請求項５】
前記センサ素子は、少なくとも一対の電極（２２Ａ，２２Ｂ）が設けられた固体電解質体（２１）と、前記固体電解質体に積層されたヒータ（２３）とを有しており、
複数の前記端子接触部には、前記電極に繋がる第１端子接触部（２８Ａ）と、前記ヒータの発熱体（２３０）に繋がる第２端子接触部（２８Ｂ）とが含まれる、請求項１〜４のいずれか１項に記載のガスセンサ。
【請求項６】
前記挿入方向から見たときに、前記傾斜バネ端子の前記撓み方向に沿った中心軸線（Ｏ）と、前記端子接触部の外面に対して垂直な垂線（Ｍ）との間の傾斜角度（θ）は、５〜４５°の範囲内にある、請求項１〜５のいずれか１項に記載のガスセンサ。
【請求項７】
前記アーム部は、前記保持部から折り返されて前記保持部と対向している、請求項１〜６のいずれか１項に記載のガスセンサ。
【手続補正２】
【補正対象書類名】明細書
【補正対象項目名】０００９
【補正方法】変更
【補正の内容】
【０００９】
本発明の一態様は、端子接触部（２８Ａ，２８Ｂ，２８Ｃ，２８Ｄ）が基端部（２０４）の外面（２０１，２０２）に複数設けられ、ガス検出を行うためのセンサ素子（２）と、
屈曲する線材によって構成された複数のバネ端子（３）と、
前記センサ素子の前記基端部が挿入された挿入穴（４１）、及び前記挿入穴に連通された複数の保持溝（４２）を有するインシュレータ（４）と、を備えるガスセンサ（１）において、
前記バネ端子は、前記保持溝内に保持される保持部（３１）と、前記保持部から延設され、前記保持部に対して撓んで前記端子接触部に接触するアーム部（３２）とを有しており、
前記挿入穴への前記センサ素子の挿入方向（Ｄ）から見たときに、複数の前記バネ端子のうちの少なくとも１つである傾斜バネ端子（３Ａ）における、前記保持部に対する前記アーム部の撓み方向（Ｆ）は、前記端子接触部の外面に対して傾斜しており、
前記端子接触部は、前記挿入方向に直交する幅方向（Ｗ）に複数並んで設けられており、
前記傾斜バネ端子は、前記幅方向に並んで配置されており、
前記傾斜バネ端子の前記アーム部は、前記保持部よりも前記センサ素子の幅方向の中心側に位置しており、
前記傾斜バネ端子の前記アーム部は、前記端子接触部の外面に垂直な垂線（Ｍ）に対する、前記撓み方向に沿った中心軸線（Ｏ）の傾斜角度（θ）を大きくする状態で撓み、かつ、前記保持溝の前記幅方向における中心側の側面（４２１）に接触して、前記端子接触部の外面に対する位置が固定されている、ガスセンサにある。
本発明の他の態様は、端子接触部（２８Ａ，２８Ｂ，２８Ｃ，２８Ｄ）が基端部（２０４）の外面（２０１，２０２）に複数設けられ、ガス検出を行うためのセンサ素子（２）と、
屈曲する線材によって構成された複数のバネ端子（３）と、
前記センサ素子の前記基端部が挿入された挿入穴（４１）、及び前記挿入穴に連通された複数の保持溝（４２）を有するインシュレータ（４）と、を備えるガスセンサ（１）において、
前記バネ端子は、前記保持溝内に保持される保持部（３１）と、前記保持部から延設され、前記保持部に対して撓んで前記端子接触部に接触するアーム部（３２）とを有しており、
前記挿入穴への前記センサ素子の挿入方向（Ｄ）から見たときに、複数の前記バネ端子のうちの少なくとも１つである傾斜バネ端子（３Ａ）における、前記保持部に対する前記アーム部の撓み方向（Ｆ）は、前記端子接触部の外面に対して傾斜しており、
複数の前記バネ端子は、円形状の断面を有する、線径がφ０．４〜０．７ｍｍの範囲内にある丸線材によって構成されている、ガスセンサにある。
【手続補正３】
【補正対象書類名】明細書
【補正対象項目名】００１０
【補正方法】変更
【補正の内容】
【００１０】
前記ガスセンサにおいては、インシュレータに保持されたバネ端子のアーム部の撓み方向に工夫をしている。具体的には、挿入穴へのセンサ素子の挿入方向から見たときに、複数のバネ端子のうちの少なくとも１つにおける、保持部に対するアーム部の撓み方向は、端子接触部の外面に対して傾斜している。
【手続補正４】
【補正対象書類名】明細書
【補正対象項目名】００１３
【補正方法】変更
【補正の内容】
【００１３】
なお、本発明の一態様及び他の態様において示す各構成要素のカッコ書きの符号は、実施形態における図中の符号との対応関係を示すが、各構成要素を実施形態の内容のみに限定するものではない。